(57)【要約】【課題】釣り用リールの電池ケースにおいて、防水処理を容易に行えるようにする。【解決手段】電池ケース１７は、両軸受リールに装着可能なケースであって、ケース本体２３と、蓋部材２７と、を備えている。ケース本体は、両軸受リールに装着可能なものであり、内部に電池３６を収納可能な電池収納部２５と、電池収納部と壁部２６を隔てて並べて配置され内部にスプール回転センサ３５を収納可能なセンサ収納部２８と、壁部に形成され電池収納部とセンサ収納部とを連通する連通部２９とを有している。蓋部材は、ケース本体に着脱自在に装着され、電池収納部を塞ぐ。【選択図】図５
2007195433.tif 000002
【特許請求の範囲】
【請求項１】
釣り用リールに装着可能な釣り用リールの電池ケースであって、
前記釣り用リールに装着可能であり、内部に電池を収納可能な電池収納部と、前記電池収納部と壁部を隔てて並べて配置され内部にセンサを収納可能なセンサ収納部と、壁部に形成され前記電池収納部と前記センサ収納部とを連通する連通部とを有するケース本体と、
前記ケース本体に着脱自在に装着され、前記電池収納部を塞ぐ蓋部材と、
を備えた釣り用リールの電池ケース。
【請求項２】
前記連通部は、前記センサ収納部側から注入される絶縁剤を注入可能な連通孔である、請求項１に記載の釣り用リールの電池ケース。
【請求項３】
前記センサ収納部は、前記釣り用リールの内部に開口する開口部を有する、請求項１又は２に記載の釣り用リールの電池ケース。
【請求項４】
前記センサ収納部には、前記釣り用リールのスプールの回転速度を検出するスプール回転センサが収納される、請求項１から３のいずれか１項に記載の釣り用リールの電池ケース。
【発明の詳細な説明】
【技術分野】
【０００１】
本発明は、電池ケース、特に、釣り用リールに装着可能な釣り用リールの電池ケースに関する。
【背景技術】
【０００２】
カウンターケースと呼ばれる仕掛けの水深表示を電気的に表示可能な釣り用リールでは、カウンターケースの電源として電池が釣り用リールの内部に収納されている。この種の電池は、カバー部材で覆われた水密のカウンターケースの内部に収納されているものが多い（たとえば、特許文献１参照）。従来のカウンターでは、内部に液晶表示装置に加えてスプールの回転を検出する、たとえばリードスイッチを用いたスプール回転センサも収納されている。スプール回転センサは、たとえばスプールの回転方向に沿って間隔を隔てて配置された２つのリードスイッチを有している。このリードスイッチのいずれが先にオンしたかによりスプールの回転方向に検出でき、かつリードスイッチからのパルス信号によりスプールの回転数を検出できる。このスプールの回転方向とスプールの回転数の２つのデータから仕掛けの水深を算出できる。
【０００３】
従来の構成では、電池とスプール回転センサとがカバー部材で覆われたカウンターケース内に収納され、水密となるようカバー部材で覆われているため、特にセンサ部分の厚みがましてリールの小型化を阻害している。殊にセンサがリードスイッチである場合、カバー部材にリードスイッチを密着させると、カバー部材に加わる衝撃や、カバー部材を超音波溶着する場合の振動により、リードスイッチが故障するおそれがある。このため、内部に十分な間隙が必要になり、ますますカウンターケースが大型化する。また、センサを交換するためにはカバー部材を取り外さなければならない。しかし、十分な水密性を得ようとするならカバー部材は超音波溶着や接着によって取り外し不能に固着させるのがよく、この場合にはセンサの故障によってカウンターケース全体を交換する必要がある。さらに、センサや電池とカウンターケースとの位置が固定されてしまうため、カウンターケースに汎用性（流用性）がなくなってしまう。
【０００４】
ここで、センサ部分だけを考えるなら、接点を含む基板ごとシリコン等の弾性を有する絶縁剤で周囲を覆ってしまえばカバーは不要であり、かつ衝撃・振動をシリコンが吸収してくれる。また、電池ケースとカウンターケースは分離した方がそれぞれの配置が自由になり、大きさの異なるリールへの流用が可能になる。
【０００５】
そこで、釣り用リールにカウンターケースと別に電池ケースとセンサとを設けて、釣り人が電池を容易に交換できるようにした釣り用リールが知られている（たとえば、特許文献２参照）。
【０００６】
前記従来の釣り用リールでは、電池ケースとスプール回転センサとをリール本体の内部に別々に収納している。電池ケースやスプール回転センサを別々にリール本体に収納する場合、それぞれに、たとえばシリコン等の弾性を有する絶縁剤を電池ケースの配線導出部やセンサ収納部全体に注入して防水処理を施している。
【特許文献１】実開昭６０−１２１７５８号公報
【特許文献２】特開２００１−１６９６９１号公報
【発明の開示】
【発明が解決しようとする課題】
【０００７】
電池とセンサとを別々に収納して防水処理する場合、従来は、電池の接続端子に接続される配線の導出部やセンサ収納部に、たとえばシリコンなどの絶縁剤を注入してシールしている。したがって、電池収納部分とセンサ収納部分とで別々に防水処理を行わなければならず、防水処理が煩わしい。
【０００８】
本発明の課題は、釣り用リールの電池ケースにおいて、防水処理を容易に行えるようにすることにある。
【課題を解決するための手段】
【０００９】
発明１に係る釣り用リールの電池ケースは、釣り用リールに装着可能なケースであって、ケース本体と、蓋部材と、を備えている。ケース本体は、釣り用リールに装着可能なものであり、内部に電池を収納可能な電池収納部と、電池収納部と壁部を隔てて並べて配置され内部にセンサを収納可能なセンサ収納部と、壁部に形成され電池収納部とセンサ収納部とを連通する連通部とを有している。蓋部材は、ケース本体に着脱自在に装着され、電池収納部を塞ぐ部材である。
【００１０】
この電池ケースでは、電池収納部とセンサ収納部とが電池ケースに設けられているので、電池とセンサとをカウンターケース外に収納しても配線処理を行いやすい。この電池収納部が蓋部材により塞がれているとともに、センサ収納部と電池収納部との間には連通部が設けられている。このため、電池収納部からこの連通部を通って電池の接続配線を取り出してセンサ収納部からセンサの接続配線とともに電池ケース外に取り出すことができる。そして、配線終了後にセンサ収納部にシリコン等の絶縁剤を注入すると、連通部がセンサ収納部に連通しているので、連通部にも絶縁剤が注入される。ここでは、電池収納部とセンサ収納部とを連通部で連通させたので、電池収納部からの配線を連通部を通してセンサ収納部からケース外に取り出すことができる。したがって、センサ収納部からシリコン等の弾性を有する絶縁剤を注入するだけで、絶縁剤で連通部を塞ぐことができ、電池収納部を防水できる。このため、電池ケースの防水処理を容易に行えるようになる。
【００１１】
発明２に係る釣り用リールの電池ケースは、発明１に記載のケースにおいて、連通部は、センサ収納部側から注入される絶縁剤を注入可能な連通孔である。この場合には、連通部を孔で構成したので、連通部を絶縁剤で塞ぎやすい。
【００１２】
発明３に係る釣り用リールの電池ケースは、発明１又は２に記載のケースにおいて、センサ収納部は、釣り用リールの内部に開口する開口部を有する。この場合には、センサ収納部が蓋などにより封止されていないので、絶縁剤を注入しやすい。
【００１３】
発明４に係る釣り用リールの電池ケースは、発明１から３のいずれかに記載のケースにおいて、センサ収納部には、釣り用リールのスプールの回転速度を検出するスプール回転センサが収納される。この場合には、スプール回転センサの防水と電池の防水とを簡単に行える。
【発明の効果】
【００１４】
本発明によれば、電池収納部とセンサ収納部とを連通部で連通させたので、電池収納部からの配線を連通部を通してセンサ収納部からケース外に取り出すことができる。このため、センサ収納部から絶縁剤を注入するだけで、絶縁剤で連通部を塞ぐことができ、電池収納部を防水できる。このため、電池ケースの防水処理を容易に行えるようになる。
【発明を実施するための最良の形態】
【００１５】
図１及び図２において、本発明の一実施形態による両軸受リールは、糸繰り出し長さ又は糸巻取長さに応じて仕掛けの水深を表示する水深表示機能を有する小型の手巻きの両軸受リールである。
【００１６】
両軸受リールは、釣り竿に装着可能なリール本体１と、リール本体１の側方に配置されたスプール回転用のハンドル２と、ハンドル２のリール本体１側に配置されたドラグ調整用のスタードラグ３と、リール本体１の上部に固定された、仕掛けの水深表示用のカウンターケース４とを主に備えている。
【００１７】
リール本体１は、左右１対の側板７ａ，７ｂとそれらを連結する複数の連結部材７ｃとからなるフレーム７と、フレーム７の左右を覆う左右の側カバー８ａ，８ｂとを有している。下側の連結部材７ｃには、釣り竿に装着するための竿装着脚５が一体形成されている。ハンドル２側の側カバー８ｂには、ハンドル２の回転軸が回転自在に支持されている。
【００１８】
リール本体１の内部には、ハンドル２に連結されたスプール１０が回転自在に支持されている。また、リール本体１のハンドル２側側面には、ハンドル２とスプール１０との駆動伝達をオンオフするクラッチ（図示せず）のクラッチ操作レバー１１が配置されている。このクラッチをオンすると、仕掛けの自重による糸繰り出し中に、糸繰り出し動作を停止できる。
【００１９】
また、リール本体１の内部には、図２及び図３に示すように、スプール１０に連動して動作するレベルワインド機構１３やハンドル２の回転をスプール１０に伝達する回転伝達機構１４等が設けられている。レベルワインド機構１３は、スプール１０の前方に配置され、スプール１０と連動して釣り糸をスプール１０に均一に巻き取るために設けられている。スプール１０は、スプール軸１０ａに固定されており、スプール軸１０ａは、リール本体１の両側板７ａ，７ｂに回転自在に支持されている。スプール軸１０ａは側板７ａ，７ｂを貫通して径方向外方に突出している。
【００２０】
側板７ａのスプール軸１０ａ貫通部分の前下方には、電池ケース１７が、たとえば２本のビス１８により固定されている。電池ケース１７は、両軸受リールの側板７ａに装着可能なケース本体２３と、ケース本体２３に着脱自在に装着された蓋部材２７とを有している。
【００２１】
ケース本体２３は、図４及び図５に示すように、たとえば、合成樹脂製であり、内部に、たとえばボタン型の電池３６を収納可能な電池収納部２５と、電池収納部２５と壁部２６を隔てて並べて配置され内部にスプール回転センサ３５を収納可能なセンサ収納部２８と、壁部２６に形成され、電池収納部２５とセンサ収納部２８とを連通する連通部２９とを有している。電池ケース１７に収納される電池３６は、カウンターケース４の電源として使用される。
【００２２】
電池収納部２５は、内部にたとえば、開口する円柱状の空間を有している。電池収納部２５は、ボタン型の電池３６の正極と負極とにそれぞれ接触可能な正極端子５０ａ及び負極端子５０ｂが装着された電池回路基板５０を内部に有している。この電池回路基板５０に２本の電源配線５１ａ，５１ｂが接続されている。この電源配線５１ａ，５１ｂは、連通部２９を通ってセンサ収納部２８から電池ケース１７の外部に導出され、カウンターケース４内に引き込まれている。電池収納部２５の開口側の内周面には、蓋部材２７が螺合する雌ねじ部２５ａが形成されている。また、底面側には、電池回路基板５０が載置される載置部２５ｂが形成されている。
【００２３】
センサ収納部２８は、電池収納部２５と壁部２６を隔てて配置されており、側板７ａと側カバー８ａとの間の空間に開口する開口部２８ａを有している。センサ収納部２８は、図３に示すように、スプール１０のスプール軸１０ａに、側板７ａの軸方向外方で固定された第１ギア５５の外周側に配置されている。この第１ギア５５には、図２及び図３に示すように、磁石５６が配置されている。第１ギア５５は、スプール１０の回転をレベルワインド機構１３に伝達するために設けられており、順次噛み合う２つの中間ギア５７，５８を介してスプール１０の回転がレベルワインド機構１３に伝達される。
【００２４】
センサ収納部２８の内部には、スプール回転センサ３５としての２つのリードスイッチ３５ａ，３５ｂがセンサ回路基板５２に装着された状態で収納されている。センサ回路基板５２には、リードスイッチ３５ａ，３５ｂにそれぞれ接続されたリードスイッチ配線５３ａ，５３ｂと、リードスイッチ３５ａ，３５ｂの双方に接続された共通配線５３ｃとの３本の配線が接続されている。リードスイッチ３５ａ，３５ｂに磁石５６に接近すると、リードスイッチ３５ａ，３５ｂは、それに応じてオンする。この信号により、スプール回転センサ３５は、スプール１０の回転方向及び回転数を検出できる。このスプール１０の回転に応じた信号が配線５３ａ〜５３ｃを介してカウンターケース４に出力される。このスプール回転センサ３５の出力により、カウンターケース４で仕掛けの水深を算出して表示する。センサ収納部２８は、組立終了後に開口部２８ａ側からシリコン等の絶縁剤が注入され封止されている。
【００２５】
連通部２９は、センサ収納部２８側から注入される絶縁剤を注入可能な連通孔２９ａである。したがって、センサ収納部２８に絶縁剤が注入されると連通孔２９ａにも絶縁剤が注入される。このため、連通孔２９ａに配置された電源配線５１ａ，５１ｂの周囲も封止され、連通孔２９ａから電池収納部２５の内部に液体が浸入しない。
【００２６】
蓋部材２７は、電池収納部２５の開口を覆うようにケース本体２３に着脱自在に装着されている。蓋部材２７は、側カバー８ａに形成された開口から外部に露出するように配置されている。蓋部材２７は、開口を覆う鍔部２７ａと、雌ねじ部２５ａに螺合する雄ねじ部２７ｃを有するねじ部２７ｂとを有する鍔付き円柱状の部材である。鍔部２７ａの表面は、硬貨などで蓋部材２７を回動させることができる溝部２７ｄが形成された三次元曲面を有している。鍔部２７ａの裏面と円形の開口との間には、電池収納部２５を水密に封止するためのたとえばＯリングからなるパッキン５４が装着されている。
【００２７】
カウンターケース４は、図１〜図３に示すように、リール本体１の上部を覆うようにリール本体１の上部に固定されている。カウンターケース４は、リール本体１に装着され内部に水密空間を有するカウンター本体３０と、ケース本体の内部に装着された回路基板３１と、回路基板３１上に回路基板３１と隙間をあけて配置された液晶ディスプレイ３２を含む複数の電気部品３３とを有している。液晶ディスプレイ３２は、仕掛けの水深や棚位置を水面からと底からとの２つの基準で表示するためのものである。
【００２８】
カウンター本体３０は、リール本体１に沿って湾曲した三次元曲面を有する表面部３０ａを有している。表面部３０ａには、図１に示すように、矩形の表示窓３０ｃが形成され、表示窓３０ｃを介して液晶ディスプレイ３２が臨んでいる。表示窓３０ｃには、透明樹脂製のカバー３４がはめ込まれている。表示窓３０ｃの右側には操作キー部６が設けられている。操作キー部６は、図１に示すように、上下に並べて配置された電源スイッチ６ａ、モードスイッチ６ｂ、及び棚メモスイッチ６ｃを有している。
【００２９】
回路基板３１は、カウンター本体３０の内部に複数箇所でねじ止めされている。回路基板３１には、水深表示を制御するためのマイクロコンピュータからなる制御部や液晶ディスプレイ３２の駆動回路やスイッチ６ａ〜６ｃ等の電気部品３３が接続されている。
【００３０】
このような構成の両軸受リールでは、釣り糸を繰り出す時には、クラッチをクラッチ操作レバー１１によりオフし、スプール１０を自由に回転させ、釣り糸に装着された重りの自重により釣り糸を繰り出す。釣り糸が繰り出されるとスプール１０が回転し、磁石５６の回転を検出してスプール回転センサ３５がカウンターケース４にスプール回転のデータを出力する。すると、液晶ディスプレイ３２の水深表示が繰り出し量に応じて変化する。仕掛けが棚に到達すると、クラッチ操作レバー１１によりクラッチをオンして釣り糸の繰り出しを停止する。仕掛けの当たりがあると、ハンドル２を回転させてスプール１０を糸巻取方向に回転させて魚を取り込む。このときも同様に液晶ディスプレイ３２の水深表示が糸巻量に応じて変化する。
【００３１】
釣りが終了すると、リールをメンテナンスのためにリールを水洗いすることがある。このとき、側板７ａと側カバー８ａとの間から水が内部に浸入することがある。しかし、電池ケース１７は、シリコンなどの絶縁剤で防水処理されているので、電池ケース１７の内部に水が浸入しにくい。
【００３２】
この防水処理を製造工場で行う場合、従来は、電池収納部から引き出される電源配線とセンサ収納部から引き出されるリードスイッチ配線及び共通配線とを別々に絶縁剤を注入して防水処理を行っている。しかし、本願発明では、電池収納部２５とセンサ収納部２８とを隔てる壁部２６に連通部２９を設けたので、センサ収納部２８に絶縁剤を注入すると連通部２９にも絶縁剤を注入でき、防水処理を容易に行える。また、センサ収納部２８を蓋部材等で封止していないので、シールするための絶縁剤を注入しやすくなる。
【００３３】
〔他の実施形態〕
（ａ）前記実施形態では、電池ケース１７を側板７ａの第１ギア５５の前方に配置したが、電池ケース１７の位置は前記実施形態に限定されず、側カバー８ａの内部の他の位置でもよい。
【００３４】
（ｂ）前記実施形態では、センサ収納部に配置されるセンサとしてスプール回転センサを例示したが、センサ収納部に収納されるセンサは、ソレノイド等の駆動体の位置を検出するセンサやクラッチのオンオフを検出するセンサであってもよい。
【００３５】
（ｃ）前記実施形態では、電池としてコイン型のリチウム乾電池を例示したが、本発明はこれに限定されず、電池としては、円板状や円筒状の電池であれば、水銀電池、空気電池、アルカリ電池等の一次電池やリチウムイオン電池、ニッケル・カドミウム電池等の二次電池でもよい。
【００３６】
（ｄ）前記実施形態では、釣り用リールとして手巻きの両軸受リールを例示したが、本発明の電池ケースが採用される釣り用リールはこれに限定されない。たとえば、カウンターケースの電源として電池を用いる電動リールなど、電源として電池を用いる全ての釣り用リールに本発明を適用できる。
【００３７】
（ｅ）前記実施形態では、連通部２９として連通孔２９ａを開示したが、配線を挿通できるものであれば、切欠き等の他の形態でもよい。
【図面の簡単な説明】
【００３８】
【図１】本発明の一実施形態が採用された両軸受リールの斜視図。
【図２】その縦断面図。
【図３】側カバーを外した状態の両軸受リールの側面一部破断図。
【図４】蓋部材を外した状態の電池ケースの平面一部破断図。
【図５】図４のＶ−Ｖ断面図。
【符号の説明】
【００３９】
１７  電池ケース
２３  ケース本体
２５  電池収納部
２６  壁
２８  センサ収納部
２９  連通部
２９ａ  連通孔
３６  電池
【図１】
2007195433.tif 000003
【図２】
2007195433.tif 000004
【図３】
2007195433.tif 000005
【図４】
2007195433.tif 000006
【図５】
2007195433.tif 000007